【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
気相冷媒を、下流側熱交換器をバイパスして圧縮機に戻し、且つ冷房、暖房運転に合わせ、気液二相流冷媒の入る、入り口管側が変るようにした気液分離装置を室内熱交換器と室外熱交換器との間に備えた空気調和機に於いて、上記気液分離装置を、横置きされた容器本体と、気液二相流冷媒が通る孔を外周部近くに有し、且つ上記容器本体内を２個の狭小空間と急拡大室との３室に区画する２個の仕切り体と、狭小空間に挟まれた急拡大室に臨む気相冷媒導出管と、急拡大室の両側に位置する狭小空間に臨むように設けられた２本の出入り口管とで構成したことを特徴とする空気調和機等の冷凍装置。
【請求項２】
急拡大室内の表面積を拡大し、且つ仕切り体の孔を通る気液二相流冷媒を他側の仕切り体の孔に誘導する溝付き体を有する気液分離装置であることを特徴とする請求項１記載の空気調和機等の冷凍装置。
【請求項３】
狭小空間内に臨む２本の出入り口管開口部を容器本体の底部に近づけて配設するようにした気液分離装置であることを特徴とする請求項１又は請求項２記載の空気調和機等の冷凍装置。
【請求項４】
溝付き体を高さ方向で急拡大室の略１/２以下の所に設置した気液分離装置であることを特徴とする請求項２記載の空気調和機等の冷凍装置。
【請求項５】
仕切り体の上方部分に、気相冷媒が狭小空間内より急拡大室側に入る切り欠き窓を設けた気液分離装置であることを特徴とする請求項１又は請求項２記載の空気調和機等の冷凍装置。
【請求項６】
２個の狭小空間の個々の内容積より、急拡大室の内容積を大きく区画した気液分離装置であることを特徴とする請求項１又は請求項２記載の空気調和機等の冷凍装置。
【請求項７】
急拡大室に臨む気相冷媒導出管の開口に対向して、液相冷媒が気相冷媒導出管に入るのを防止し且つ気相冷媒導出管より導出される気相冷媒の吸い込み抵抗とならないように保護材を設けた気液分離装置であることを特徴とする請求項１又は請求項２記載の空気調和機等の冷凍装置。
【請求項８】
急拡大室内に配設される溝付き体の頂部に気相冷媒が通過するスリットを設けた気液分離装置であることを特徴とする請求項２記載の空気調和機等の冷凍装置。
【手続補正２】
【補正対象書類名】明細書
【補正対象項目名】０００５
【補正方法】変更
【補正の内容】
【０００５】
又、図２８に示すものは、冷房、暖房切換可能な空気調和機の冷凍サイクル中に冷蔵要素（例えば冷蔵庫）を組み込んだものである。
即ち、この冷凍サイクルの場合、冷蔵要素２９（毛細管１２と冷却器１３）には冷房、暖房切替に関係なく一定方向より冷媒を流す必要がある。
これを達成する為に流路切換逆止弁ブリッジ５０を組み込んだものである。この流路切換逆止弁ブリッジ５０を冷房、暖房切替可能な冷凍サイクルに組み込めば冷媒の流れ方向が特定されるので図２７で説明した気液分離装置の採用も可能となる。
この流路切換逆止弁ブリッジ５０と先の気液分離装置４３を併用した、空気調和機であれば蒸発に寄与しない気相冷媒は冷房運転時に蒸発器となる室内側熱交換器に流入しないし、暖房運転時に蒸発器となる室外側熱交換器に流入しない為、蒸発器となる側の熱交換器での圧力損失を抑えることが出来、圧縮動力が節減でき、高効率な運転を可能にすることが出来るものである。
【手続補正３】
【補正対象書類名】明細書
【補正対象項目名】００２５
【補正方法】変更
【補正の内容】
【００２５】
そして、冷凍サイクル１を暖房運転する場合には図１に示す如く、四方弁５を実線で示すように切り替えて冷媒を流すことにより、室内熱交換器６が凝縮器として、室外熱交換器７が蒸発器として機能する。
この時、二つある膨張弁８a、８bの内、８aは減圧作用を行なうが８bは減圧作用を行なわないよう予め動作させておくものである。又、気液分離装置９には矢印に示す如く膨張弁８aで減圧された気液二相流冷媒が入り、膨張弁８b側には気液分離装置９で分離された液相冷媒が流れる（通過する）ものである。
尚、気液分離装置９内で分離された気相冷媒は気相戻し管１１より冷媒吸入流路１０を経由して、圧縮機２の吸入口４側に戻されるものである。
【手続補正４】
【補正対象書類名】明細書
【補正対象項目名】００２６
【補正方法】変更
【補正の内容】
【００２６】
又、冷房運転する場合には図２に示す如く、四方弁５を実線で示すように切り替えて冷媒を流すことにより、室内熱交換器６が蒸発器として室外熱交換器７が凝縮器として機能する。
この時二つある膨張弁８a、８bの内、８bは減圧作用を行なうが、８aは減圧作用は行なわないよう予め動作させておくものである。
又、気液分離装置９には矢印に示す如く膨張弁８bで減圧された気液二相流冷媒が入り、膨張弁８a側には気液分離装置９で分離された液相冷媒が流れる（通過する）ものである。
尚、気液分離装置９内で分離された気相冷媒は気相戻し管１１より冷媒吸入流路１０を経由して、圧縮機２の吸入口４側に戻されるものである。
【手続補正５】
【補正対象書類名】明細書
【補正対象項目名】００３２
【補正方法】変更
【補正の内容】
【００３２】
また、出口管側に位置する仕切り体１９は溝付き体１８内の液相冷媒を、出入り口管に導出する役目を果たしている。
換言すると、上記仕切り体１９が、容器本体１４との間に作る狭小空間２０はこの空間２０に臨むように設けられた出入り口管１５（１６）から入る気液二相流冷媒を仕切り体１９の前面外周方向に導き、孔１９aより溝付き体１８全体に導入するものである。逆に液相冷媒の出口側に位置する仕切り体１９は溝付き体１８内の液相冷媒を上記孔１９aより出入り口管に導出するものである。
【手続補正６】
【補正対象書類名】明細書
【補正対象項目名】００３４
【補正方法】変更
【補正の内容】
【００３４】
又、気相冷媒は溝付き体１８と仕切り体１９で囲まれている急拡大室２１側に飛び出し、気相冷媒導出管１７より気相戻し管１１を経て、冷媒吸入流路１０を通リ圧縮機の吸入口４、圧縮機２に戻されるものである。
尚、２２は保護材である。この保護材２２は急拡大室２１に臨む気相冷媒導出管１７が液相冷媒を吸い込むことなく気相冷媒を吸い込むよう設けられている。また、この保護材２２は気相冷媒導出管１７より導出される気相冷媒の吸い込み抵抗とならないよう、内径の太い導管とされている。
更にこの保護材２２は気相冷媒導出管１７を急拡大室の中央まで延出することにより省略することも可能である。
【手続補正７】
【補正対象書類名】明細書
【補正対象項目名】００４１
【補正方法】変更
【補正の内容】
【００４１】
尚、出口側に位置する狭小空間２０内においても液相冷媒より気相冷媒が分離するが、分離した気相冷媒は仕切り体１９の上方孔１９aより急拡大室２1に戻され気相冷媒導出管１７に導出されて行くものである。
上記狭小空間２０と急拡大室２１は働きの違いにより、急拡大室２１の内容積は狭小空間２０の内容積より大きく作られている。
この為に、容器本体１４内を区画する仕切り体１９は図にも示す如く容器本体１４に作られる絞り部１４aに近づけた位置に設け、急拡大室２１の内容積を狭小空間２０より大きくしている。
【手続補正８】
【補正対象書類名】明細書
【補正対象項目名】００５２
【補正方法】変更
【補正の内容】
【００５２】
本実施例に示すものは、気液分離装置９の全体形状を、円筒管状でなく箱状にし、それを横置きとしたものである。図１１は図３、図５とは異なる実施例の気液分離装置の断面図であり、図１２は図１１のＡ―Ａ断面図であり、図１３は、図１１のB―Ｂ断面図である。
図に於いて、９は気液分離装置、１４は箱状の容器本体、１４aは図３、図４に示す絞り部相当、１５、１６は出入り口管、１７は上記容器本体１４の底面に設けられた気相冷媒導出管、１８は溝付き体、この場合の溝付き体は実施例２で説明した略円筒管状でなく薄板金属板を波状に折り曲げたままで平板状を呈している。１９は仕切り体である。この仕切り体１９は平板状を呈し容器本体１４との間に二つの狭小空間２０と急拡大室２１を作ると共に出入り口管１５、１６の一方から気液分離装置９内に入る気液二相流冷媒を平板状溝付き体全体に行きわたらせる役目を果す。
【手続補正９】
【補正対象書類名】明細書
【補正対象項目名】００５９
【補正方法】変更
【補正の内容】
【００５９】
次に、図２１をもって図３とは異なる気液分離装置を説明する。
本実施例で説明する気液分離装置は、実施例１同様、気液分離装置９の全体形状を円筒状とし且つそれを横置としたものである。
図に於いて、９は気液分離装置、１４は円筒状の容器本体で横置きされている。１４aは絞り部、１５、１６は本実施例の出入り口管、１７は気相冷媒導出管、１８ｃは本実施例の溝付き体、１９は仕切り体、１９aは孔、２０は狭小空間、２１は急拡大室、２２aは本実施例の保護材、３０は切り欠き窓である。
図に於いて、本実施例の出入り口管１５、１６の先端は狭小空間２０に対し狭小空間２０の底部２０aに近づけて設置されている。これは一方の出入り口管１５側から気液二相流冷媒が狭小空間２０に導入される際、気液二相流冷媒が確実に狭小空間２０に導入されるようにしたもので、他方の出入り口管１６は狭小空間２０内の液相冷媒を確実に導出させる為である。
また、本実施例の溝付き体１８ｃは、高さ方向で急拡大室２１の略１/２以下の所に設置される半円弧状（図２５に示す）をしている。
換言すると、本気液分離装置９内に導入する気液二相流冷媒量は高さ方向で気液分離装置９の１/２以下に設定されていると言うことでる。尚、この半円弧状の程度は、導入される気液二相流冷媒の量に応じて、変化させることが出来るものである。
【手続補正１０】
【補正対象書類名】図面
【補正対象項目名】図１９
【補正方法】変更
【補正の内容】
【図１９】
2012068012.tif 000001
【手続補正１１】
【補正対象書類名】図面
【補正対象項目名】図２０
【補正方法】変更
【補正の内容】
【図２０】
2012068012.tif 000002